(57)【要約】      （修正有）【課題】周辺機器（充電器）に応じたコンテンツをユーザーに提供する。【解決手段】コンテンツ再生プログラム１１は、コンテンツ再生部２１を備えるスマートフォン１の制御部２を、周辺機器（充電器）のデバイスＩＤと、周辺機器（充電器）のデバイスＩＤにそれぞれ対応する複数のコンテンツデータとを対応付けて記憶する記憶部３に記憶されているコンテンツデータに基づいて、コンテンツ再生部２１へのコンテンツの再生を制御する制御手段として機能させる。制御部２は、周辺機器（充電器）から送出されるデバイスＩＤに対応する、記憶部３に記憶されているコンテンツデータに基づいたコンテンツを、コンテンツ再生部２１に再生させる。【選択図】図５
2014164438.tif 000002
【特許請求の範囲】
【請求項１】
コンテンツを再生するコンテンツ再生装置を備える携帯端末装置を、
同一種の複数の周辺機器の識別情報と、前記複数の周辺機器の識別情報にそれぞれ対応する複数のコンテンツデータと、を対応付けて記憶する記憶装置に記憶されている前記コンテンツデータに基づいて、コンテンツ再生装置へのコンテンツの再生を制御する制御手段として機能させ、
前記制御手段は、前記周辺機器から送出される前記識別情報に対応する、前記記憶装置に記憶されている前記コンテンツデータに基づいたコンテンツを、前記コンテンツ再生装置に再生させることを特徴とするコンテンツ再生プログラム。
【請求項２】
前記携帯端末装置は、前記周辺機器と接続可能であり、
前記制御手段は、前記周辺機器が前記携帯端末装置に接続された場合に、前記コンテンツデータに基づいたコンテンツを前記コンテンツ再生装置に再生させることを特徴とする請求項１に記載のコンテンツ再生プログラム。
【請求項３】
前記携帯端末装置を、
前記周辺機器が接続された場合に、前記コンテンツ再生装置に前記コンテンツデータに基づいたコンテンツを再生させない旨の指示を受け付ける受付手段としてさらに機能させ、
前記制御手段は、前記受付手段により前記指示が受け付けられた場合に、前記コンテンツデータに基づいたコンテンツを前記コンテンツ再生装置に再生させないことを特徴とする請求項２に記載のコンテンツ再生プログラム。
【請求項４】
前記制御手段は、前記携帯端末装置に接続されている前記周辺機器が抜去された場合に、前記コンテンツデータに基づいたコンテンツを前記コンテンツ再生装置に再生させることを特徴とする請求項２又は３に記載のコンテンツ再生プログラム。
【請求項５】
前記複数の周辺機器は、それぞれ、前記携帯端末装置を充電する機能を有することを特徴とする請求項１〜４のいずれか１項に記載のコンテンツ再生プログラム。
【請求項６】
前記コンテンツデータは、前記周辺機器のデザインに応じたコンテンツを再生するためのデータであることを特徴とする請求項１〜５のいずれか１項に記載のコンテンツ再生プログラム。
【請求項７】
前記コンテンツデータは、画像を表示するためのデータであることを特徴とする請求項１〜６のいずれか１項に記載のコンテンツ再生プログラム。
【請求項８】
前記コンテンツデータは、音声を再生するためのデータであることを特徴とする請求項１〜６のいずれか１項に記載のコンテンツ再生プログラム。
【請求項９】
前記コンテンツデータは、画像を表示するためのデータであり、
前記周辺機器は、食べ物を模したデザインであり、
前記周辺機器のデザインに応じたコンテンツは、前記食べ物と、前記食べ物を食べるキャラクターと、を含む画像であることを特徴とする請求項６に記載のコンテンツ再生プログラム。
【請求項１０】
前記コンテンツデータは、画像を表示するためのデータであり、
前記制御手段は、前記携帯端末装置の充電状況に応じて、前記コンテンツデータに基づいたコンテンツを変化させて前記コンテンツ再生装置に再生させることを特徴とする請求項５に記載のコンテンツ再生プログラム。
【請求項１１】
前記コンテンツデータは、前記周辺機器のデザインに応じた画像を表示するためのデータであり、
前記周辺機器は、食べ物を模したデザインであり、
前記周辺機器のデザインに応じた画像は、前記食べ物と、前記食べ物を食べるキャラクターと、を含み、
前記制御手段は、前記携帯端末装置の充電状況に応じて、前記食べ物と、前記キャラクターと、を変化させることを特徴とする請求項１０に記載のコンテンツ再生プログラム。
【請求項１２】
前記複数の周辺機器は、それぞれ、前記携帯端末装置を充電するための容量の異なる電池を内蔵し、
前記コンテンツデータは、前記周辺機器の前記電池の容量に応じたコンテンツを再生するためのデータであることを特徴とする請求項５に記載のコンテンツ再生プログラム。
【請求項１３】
前記携帯端末装置は、振動装置をさらに備え、
前記制御手段は、前記コンテンツデータに基づいたコンテンツを前記コンテンツ再生装置に再生させると同時に、前記振動装置を振動させることを特徴とする請求項１〜１２のいずれか１項に記載のコンテンツ再生プログラム。
【発明の詳細な説明】
【技術分野】
【０００１】
本発明は、コンテンツ再生プログラムに関する。
【背景技術】
【０００２】
スマートフォン等の携帯端末装置では、電池の残量を示すアイコン等が表示装置に表示されるようになっている（例えば、特許文献１）。また、携帯端末装置に充電器が接続されると、待受画面から充電状況を表示する画面に切り替わり、充電状況を表示する機能を有する携帯端末装置も知られている。
【先行技術文献】
【特許文献】
【０００３】
【特許文献１】特開２００９−２９６４２７号公報
【発明の開示】
【発明が解決しようとする課題】
【０００４】
ところで、携帯端末装置には、様々な周辺機器が接続され、携帯端末装置の機能が補助・拡張されるようになっている。周辺機器としては、上記の充電器の他、スピーカー、ＦＭトランスミッター等がある。このような周辺機器は、例えば、携帯端末装置を充電するという機能を有する同一種の充電器であっても、デザインや充電性能等が異なるさまざまな充電器がある。また、携帯端末装置は、画像を表示する表示装置、音声を再生するスピーカー等を備えており、様々な音声や画像等のコンテンツを再生可能である。従来の携帯端末装置は、様々な音声や画像等のコンテンツを再生可能であるにもかかわらず、デザインや充電性能等が異なる充電器が接続された場合でも、充電状況を表示する同じ画像（コンテンツ）を表示（再生）するため、ユーザーにとって面白味に欠けるものであった。
【０００５】
本発明の目的は、周辺機器に応じたコンテンツをユーザーに提供することである。
【課題を解決するための手段】
【０００６】
第１の発明のコンテンツ再生プログラムは、コンテンツを再生するコンテンツ再生装置を備える携帯端末装置を、同一種の複数の周辺機器の識別情報と、前記複数の周辺機器の識別情報にそれぞれ対応する複数のコンテンツデータと、を対応付けて記憶する記憶装置に記憶されている前記コンテンツデータに基づいて、コンテンツ再生装置へのコンテンツの再生を制御する制御手段として機能させ、前記制御手段は、前記周辺機器から送出される前記識別情報に対応する、前記記憶装置に記憶されている前記コンテンツデータに基づいたコンテンツを、前記コンテンツ再生装置に再生させることを特徴とする。
【０００７】
本発明では、制御手段は、周辺機器から送出される識別情報に対応する、記憶装置に記憶されているコンテンツデータに基づいたコンテンツを、コンテンツ再生装置に再生させる。すなわち、制御手段は、周辺機器に応じたコンテンツをコンテンツ再生装置に再生させる。これにより、周辺機器に応じたコンテンツをユーザーに提供することが可能である。
【０００８】
なお、本発明では、「同一種の複数の周辺機器」は、同じ機能を有する同一種類の複数の周辺機器（例えば、携帯端末装置を充電するという機能を有する充電器の場合、デザインや充電性能等が異なる複数の充電器）を意味している。例えば、携帯端末装置を充電するという機能を有する充電器と、携帯端末装置の音声を拡大するという機能を有するスピーカーとは、機能が異なり、同一種類の周辺機器ではない。
【０００９】
また、本発明では、「コンテンツ」は、音声、画像（静止画像、動画像、音声を含む動画像）を含む。「静止画像」には、文字も含まれる。「コンテンツデータ」は、音声データ、画像データ（静止画像データ、動画像データ、音声データを含む動画像データ）を含む。
【００１０】
第２の発明のコンテンツ再生プログラムは、第１の発明のコンテンツ再生プログラムにおいて、前記携帯端末装置は、前記周辺機器と接続可能であり、前記制御手段は、前記周辺機器が前記携帯端末装置に接続された場合に、前記コンテンツデータに基づいたコンテンツを前記コンテンツ再生装置に再生させることを特徴とする。
【００１１】
本発明では、制御手段は、周辺機器が携帯端末装置に接続された場合に、コンテンツデータに基づいたコンテンツをコンテンツ再生装置に再生させる。これにより、周辺機器が携帯端末装置に接続された場合に、周辺機器に応じたコンテンツをユーザーに提供することが可能である。
【００１２】
第３の発明のコンテンツ再生プログラムは、第２の発明のコンテンツ再生プログラムにおいて、前記携帯端末装置を、前記周辺機器が接続された場合に、前記コンテンツ再生装置に前記コンテンツデータに基づいたコンテンツを再生させない旨の指示を受け付ける受付手段としてさらに機能させ、前記制御手段は、前記受付手段により前記指示が受け付けられた場合に、前記コンテンツデータに基づいたコンテンツを前記コンテンツ再生装置に再生させないことを特徴とする。
【００１３】
本発明では、制御手段は、受付手段によりコンテンツ再生装置にコンテンツデータに基づいたコンテンツを再生させない旨の指示が受け付けられた場合に、コンテンツデータに基づいたコンテンツをコンテンツ再生装置に再生させない。従って、ユーザーは、コンテンツデータに基づいたコンテンツをコンテンツ再生装置に再生させたくない場合は、その旨、指示することができる。
【００１４】
第４の発明のコンテンツ再生プログラムは、第２又は第３の発明のコンテンツ再生プログラムにおいて、前記制御手段は、前記携帯端末装置に接続されている前記周辺機器が抜去された場合に、前記コンテンツデータに基づいたコンテンツを前記コンテンツ再生装置に再生させることを特徴とする。
【００１５】
本発明では、制御手段は、携帯端末装置に接続されている周辺機器が抜去された場合に、コンテンツデータに基づいたコンテンツをコンテンツ再生装置に再生させる。これにより、周辺機器が携帯端末装置から抜去された場合に、周辺機器に応じたコンテンツをユーザーに提供することが可能である。
【００１６】
第５の発明のコンテンツ再生プログラムは、第１〜第４の発明のいずれかのコンテンツ再生プログラムにおいて、前記複数の周辺機器は、それぞれ、前記携帯端末装置を充電する機能を有することを特徴とする。
【００１７】
本発明では、複数の周辺機器は、それぞれ、携帯端末装置を充電する機能を有する。このため、デザインや充電性能等に応じたコンテンツをユーザーに提供することが可能である。
【００１８】
第６の発明のコンテンツ再生プログラムは、第１〜第５の発明のいずれかのコンテンツ再生プログラムにおいて、前記コンテンツデータは、前記周辺機器のデザインに応じたコンテンツを再生するためのデータであることを特徴とする。
【００１９】
本発明では、コンテンツデータは、周辺機器のデザインに応じたコンテンツを再生するためのデータである。例えば、周辺機器のデザインが「犬」である場合、コンテンツデータは、「犬」の鳴き声を含む音声を再生するためのデータである。例えば、周辺機器のデザインが「猫」である場合、コンテンツデータは、「猫」の鳴き声を含む音声を再生するためのデータである。例えば、周辺機器のデザインが「猿」である場合、コンテンツデータは、「猿」の鳴き声を含む音声を再生するためのデータある。例えば、周辺機器のデザインが「骨」である場合、コンテンツデータは、「骨」を含む画像を表示するためのデータである。例えば、周辺機器のデザインが「魚」である場合、コンテンツデータは、「魚」を含む画像を表示するためのデータである。例えば、周辺機器のデザインが「バナナ」である場合、コンテンツデータは、「バナナ」を含む画像を表示するためのデータである。これにより、周辺機器のデザイン（犬、猫、猿）に応じた音声（犬の鳴き声を含む音声、猫の鳴き声を含む音声、猿の鳴き声を含む音声）や周辺機器のデザイン（骨、魚、バナナ）に応じた画像（骨を含む画像、魚を含む画像、バナナを含む画像）等のコンテンツをコンテンツ再生装置に再生させることができる。このため、周辺機器のデザインに応じて、より面白味のあるコンテンツをユーザーに提供することが可能である。
【００２０】
第７の発明のコンテンツ再生プログラムは、第１〜第６の発明のいずれかのコンテンツ再生プログラムにおいて、前記コンテンツデータは、画像を表示するためのデータであることを特徴とする。
【００２１】
本発明では、コンテンツデータは、画像を表示するためのデータである。これにより、周辺機器に応じたコンテンツとして、画像をユーザーに提供することが可能である。
【００２２】
第８の発明のコンテンツ再生プログラムは、第１〜第６の発明のいずれかのコンテンツ再生プログラムにおいて、前記コンテンツデータは、音声を再生するためのデータであることを特徴とする。
【００２３】
本発明では、コンテンツデータは、音声を再生するためのデータである。これにより、周辺機器に応じたコンテンツとして、音声をユーザーに提供することが可能である。
【００２４】
第９の発明のコンテンツ再生プログラムは、第６の発明のコンテンツ再生プログラムにおいて、前記コンテンツデータは、画像を表示するためのデータであり、前記周辺機器は、食べ物を模したデザインであり、前記周辺機器のデザインに応じたコンテンツは、前記食べ物と、前記食べ物を食べるキャラクターと、を含む画像であることを特徴とする。
【００２５】
本発明では、周辺機器のデザインに応じたコンテンツとして、周辺機器が模している食べ物と、食べ物を食べるキャラクターと、を含む画像が表示される。例えば、周辺機器が模しているデザインが「骨」である場合、「骨」と、「骨」を食べるキャラクター「犬」と、を含む画像が表示される。例えば、周辺機器が模しているデザインが「魚」である場合、「魚」と、「魚」を食べるキャラクター「猫」と、を含む画像が表示される。例えば、周辺機器が模しているデザインが「バナナ」である場合、「バナナ」と、「バナナ」を食べるキャラクター「猿」と、を含む画像が表示される。このため、周辺機器のデザインに応じてより面白味のあるコンテンツ（画像）をユーザーに提供することが可能である。
【００２６】
第１０の発明のコンテンツ再生プログラムは、第５の発明のコンテンツ再生プログラムにおいて、前記コンテンツデータは、画像を表示するためのデータであり、前記制御手段は、前記携帯端末装置の充電状況に応じて、前記コンテンツデータに基づいたコンテンツを変化させて前記コンテンツ再生装置に再生させることを特徴とする。
【００２７】
本発明では、制御手段は、携帯端末装置の充電状況に応じて、コンテンツデータに基づいたコンテンツ（画像）を変化させてコンテンツ再生装置に再生（表示）させる。従って、より面白味のあるコンテンツ（画像）をユーザーに提供することが可能である。また、ユーザーは、コンテンツ（画像）に基づいて充電状況を確認することができる。
【００２８】
第１１の発明のコンテンツ再生プログラムは、第１０の発明のコンテンツ再生プログラムにおいて、前記コンテンツデータは、前記周辺機器のデザインに応じた画像を表示するためのデータであり、前記周辺機器は、食べ物を模したデザインであり、前記周辺機器のデザインに応じた画像は、前記食べ物と、前記食べ物を食べるキャラクターと、を含み、前記制御手段は、前記携帯端末装置の充電状況に応じて、前記食べ物と、前記キャラクターと、を変化させることを特徴とする。
【００２９】
本発明では、周辺機器のデザインに応じたコンテンツとして、周辺機器が模している食べ物と、食べ物を食べるキャラクターと、を含む画像が表示される。また、携帯端末装置の充電状況に応じて、食べ物とキャラクターが変化される。このため、より面白味のあるコンテンツ（画像）をユーザーに提供することが可能である。
【００３０】
第１２の発明のコンテンツ再生プログラムは、第５の発明のコンテンツ再生プログラムにおいて、前記複数の周辺機器は、それぞれ、前記携帯端末装置を充電するための容量の異なる電池を内蔵し、前記コンテンツデータは、前記周辺機器の前記電池の容量に応じたコンテンツを再生するためのデータであることを特徴とする。
【００３１】
本発明では、コンテンツデータは、周辺機器の電池の容量に応じたコンテンツを再生するためのデータである。すなわち、周辺機器の電池の容量に応じたコンテンツ（例えば、容量が大きければ、大きいキャラクター「クマ」の鳴き声を含む音声や「クマ」を含む画像、容量が小さければ、小さいキャラクター「ウサギ」の鳴き声を含む音声や「ウサギ」を含む画像）が再生されるため、ユーザーは、周辺機器の充電性能をコンテンツにより把握することが可能である。
【００３２】
第１３の発明のコンテンツ再生プログラムは、第１〜第１２の発明のいずれかのコンテンツ再生プログラムにおいて、前記携帯端末装置は、振動装置をさらに備え、前記制御手段は、前記コンテンツデータに基づいたコンテンツを前記コンテンツ再生装置に再生させると同時に、前記振動装置を振動させることを特徴とする。
【００３３】
本発明では、制御手段は、コンテンツデータに基づいたコンテンツをコンテンツ再生装置に再生させると同時に、振動装置を振動させる。例えば、コンテンツの態様に合わせて振動装置を振動させることにより、ユーザーにより面白味のあるコンテンツを提供することができる。
【発明の効果】
【００３４】
本発明では、制御手段は、周辺機器から送出される識別情報に対応する、記憶装置に記憶されているコンテンツデータに基づいたコンテンツを、コンテンツ再生性装置に再生させる。すなわち、制御手段は、周辺機器に応じたコンテンツをコンテンツ再生装置に再生させる。これにより、周辺機器に応じたコンテンツをユーザーに提供することが可能である。
【図面の簡単な説明】
【００３５】
【図１】本発明の実施形態に係るスマートフォンの概略斜視図である。
【図２】第１充電器の平面図である。
【図３】第２充電器の平面図である。
【図４】第３充電器の平面図である。
【図５】スマートフォンの電気的構成を概略的に示すブロック図である。
【図６】デバイスＩＤとコンテンツデータの情報とを対応付けて記憶するテーブルの一例を示すである。
【図７】第１充電器がスマートフォンに接続された場合に表示部に表示される動画像の一例である。
【図８】第２充電器がスマートフォンに接続された場合に表示部に表示される動画像の一例である。
【図９】第３充電器がスマートフォンに接続された場合に表示部に表示される動画像の一例である。
【図１０】充電器が接続された場合のスマートフォンの動作を示すフローチャートである。
【図１１】表示部に表示されるホーム画面の一例を示す図である。
【図１２】表示部に表示される初期メッセージの一例を示す図である。
【図１３】充電器が抜去された場合のスマートフォンの動作を示すフローチャートである。
【発明を実施するための形態】
【００３６】
以下、本発明の実施形態について説明する。本実施形態は、本発明のコンテンツ再生プログラムが、携帯端末装置としてのスマートフォンにインストールされた実施形態である。
【００３７】
図１は、本発明の実施形態に係るスマートフォンの斜視図である。図１に示すように、スマートフォン１は、表示部４と、スピーカー１２と、コネクタ１０と、を備えている。表示部４は、種々の画像を表示するものである。表示部４は、タッチパネル式の液晶ディスプレイであり、後述する操作部５を兼ねている。スピーカー１２は、種々の音声を再生するものである。コネクタ１０は、メス型の接続コネクタである。コネクタ１０としては、例えば、ＵＳＢ（Universal Serial Bus）のマイクロＢタイプを採用することができる。コネクタ１０には、後述する同一種の複数の周辺機器としての充電器５１〜５３（図２〜図４参照）が接続される。すなわち、スマートフォン１は、コネクタを介して、充電器５１〜５３と接続可能である。コネクタ１０は、図示しないが、データ通信のためのピンと、電力供給のためのピンと、を有している。なお、スマートフォン１の電気的構成については後述する。
【００３８】
次に、スマートフォン１に接続可能な充電器５１〜５３について説明する。充電器５１〜５３は、それぞれ、スマートフォン１を充電する機能を有する。図２は、第１充電器５１の平面図である。図２に示すように、第１充電器５１は、本体５４、カバー５５、コネクタ５６を備えている。第１充電器５１において、本体５４とカバー５５とは着脱可能となっている。図２（ａ）は、本体５４にカバー５５が装着されている状態を示している。図２（ｂ）は、本体５４にカバー５５が装着されていない状態を示している。第１充電器５１は、食べ物である「骨」を模したデザインである。すなわち、第１充電器５１は、本体５４にカバー５５が装着された状態で、平面視、「骨」のように見える。本体５４は、内部に、例えば、リチウムイオン電池等のスマートフォン１を充電するための二次電池を内蔵している。カバー５５は、コネクタ５６を保護するためのものである。第１充電器５１を使用しないときには、本体５４にカバー５５が装着され、コネクタ５６が保護される。第１充電器５１を使用するときには、本体５４からカバー５５が取り外され、コネクタ５６が露出する。コネクタ５６は、オス型の接続コネクタである。コネクタ５６としては、スマートフォン１のコネクタ１０と対応する、例えば、ＵＳＢのマイクロＢタイプを採用することができる。コネクタ５６は、図示しないが、データ通信のためのピンと、電力供給のためのピンと、を有している。
【００３９】
第１充電器５１は、例えば、コネクタ５６がＡＣアダプタ（不図示）を介して家庭用コンセントに接続されることにより、内蔵されている二次電池が充電される。なお、ＡＣアダプタは、家庭用コンセントから供給される交流１００Ｖの電力を、例えば、直流５Ｖの電力に変換して第１充電器５１に出力する。第１充電器５１は、スマートフォン１に接続されると、電力供給用のピンを介して、スマートフォン１に電力を供給する。
【００４０】
第１充電器５１は、固有のデバイスＩＤ（識別情報）を記憶している。第１充電器５１は、スマートフォン１に接続されると、データ通信用のピンを介し、スマートフォン１に対して、固有のデバイスＩＤを送出する機能を有する。また、第１充電器５１は、第１充電器５１が接続された場合にスマートフォン１が起動すべきプログラムの情報を記憶している。第１充電器５１は、スマートフォン１に接続されると、データ通信用のピンを介し、スマートフォン１に対して、第１充電器５１が接続された場合に起動すべきプログラムの情報を送出する機能も有している。本実施形態では、第１充電器５１が接続された場合に起動されるプログラムは、後述するコンテンツ再生プログラム１１（図５参照）である。
【００４１】
図３は、第２充電器５２の平面図である。図３に示すように、第２充電器５２は、本体５７、カバー５８、コネクタ５９を備えている。第２充電器５２は、第１充電器５１と同様の構成であるが、第１充電器５１とデザイン（形状や色）が異なる。図３（ａ）は、本体５７にカバー５８が装着されている状態を示している。図３（ｂ）は、本体５７にカバー５８が装着されていない状態を示している。第２充電器５２は、食べ物である「魚」を模したデザインである。すなわち、第２充電器５２は、本体５７にカバー５８が装着された状態で、平面視、魚のように見える。
【００４２】
図４は、第３充電器５３の平面図である。図４に示すように、第３充電器５３は、本体６０、カバー６１、コネクタ６２を備えている。第３充電器５３は、第１充電器５１、第２充電器５２と同様の構成であるが、第１充電器５１、第２充電器５２とデザイン（形状や色）が異なる。図４（ａ）は、本体６０にカバー６１が装着されている状態を示している。図４（ｂ）は、本体６０にカバー６１が装着されていない状態を示している。第３充電器５３は、食べ物である「バナナ」を模したデザインである。すなわち、第３充電器５３は、本体６０にカバー６１が装着された状態で、平面視、バナナのように見える。なお、本明細書では、第１充電器５１、第２充電器５２、第３充電器５３をまとめて、「充電器５１〜５３」とも表記する。
【００４３】
以上説明した充電器５１〜５３は、スマートフォン１を充電するという同じ機能を有する同一種の周辺機器であって、デザインが異なる複数の周辺機器である。
【００４４】
次に、スマートフォン１の電気的構成を説明する。図５は、スマートフォン１の電気的構成を概略的に示すブロック図である。図５に示すように、スマートフォン１は、制御部２、記憶部３（記憶装置）、コンテンツ再生部４（コンテンツ再生装置）、操作部５、通信部６、電源部７、入出力Ｉ／Ｆ８、バイブレーター１３（振動装置）を備えている。制御部２は、ＯＳ（operating system）プログラム、アプリケーションプログラムに従って、スマートフォン１を構成する各部を制御する。記憶部３は、制御部２の主メモリとして機能するＲＡＭ、制御プログラムを記憶するＲＯＭ、ＯＳプログラムやコンテンツ再生プログラム１１を含むアプリケーションプログラム等のプログラム、コンテンツデータ等の各種データを記憶するフラッシュメモリから構成されている。記憶部３は、充電器５１〜５３のデバイスＩＤと、充電器５１〜５３のデバイスＩＤそれぞれに対応するコンテンツデータと、を対応付けて記憶している。
【００４５】
コンテンツ再生部２１は、コンテンツを再生するものである。本実施形態では、コンテンツとして、音声を含む動画像を例示する。コンテンツ再生部２１は、表示部４と、スピーカー１２と、を備えている。表示部４は、上述のように、種々の画像（静止画像、動画像を含む）を表示するものであり、液晶パネルにより構成されている。スピーカー１２は、上述のように、種々の音声を再生する。操作部５は，各種設定を行うための操作キー、及び、表示部４と連動したタッチパネルを備えている。ユーザーは、操作部５を介して、電話番号やメールアドレス等の各種の文字入力、通信設定などを行うことが可能である。通信部６は、図示しない携帯電話網および携帯基地局を介してインターネットに接続可能なように構成されている。スマートフォン１は、通信部６を介して、他の端末との通話、通信等を行うことが可能である。
【００４６】
電源部７は、例えば、リチウムイオン電池等の二次電池を備えており、スマートフォン１を構成する各部に電力を供給する。スマートフォン１に充電器５１〜５３が接続されると、電源部７の二次電池が充電される。電源部７は、二次電池の蓄電（充電）状況を常に検出しており、検出した結果を制御部２に送信している。入出力Ｉ／Ｆ８は、コネクタ１０に接続された充電器５１〜５３等の周辺機器とデータ通信等を行うためのインターフェースとして機能する。入出力Ｉ／Ｆ８は、コネクタ１０への充電器５１〜５３の接続を検知するようになっており、充電器５１〜５３の接続を検知すると、その旨の情報を制御部２に送信する。バイブレーター１３は、スマートフォン１を振動させるためのものである。バイブレーター１３は、図示しないモータと、モータの回転軸に取り付けられた、図示しない偏心部材と、を備えている。バイブレーター１３は、モータにより偏心部材が回転されることにより、振動する。スマートフォン１は、バイブレーター１３の振動にともなって、振動する
【００４７】
なお、コンテンツ再生プログラム１１は、工場出荷時にスマートフォン１にインストールされていてもよいし、工場出荷後、通信部６を介して、サーバからダウンロードされ、インストールされてもよい。工場出荷時にスマートフォン１にコンテンツ再生プログラム１１がインストールされていない場合、コンテンツ再生プログラム１１は、例えば、ユーザーによる操作部５の所定操作や充電器５１〜５３のスマートフォン１への初回接続等に起因して、スマートフォン１にインストールされる。コンテンツ再生プログラム１１がスマートフォン１にインストールされるにともなって、充電器５１〜５３のデバイスＩＤに対応するコンテンツデータ、後述するテーブル（図６参照）が記憶部３に記憶される。
【００４８】
上述のように、記憶部３は、充電器５１〜５３のデバイスＩＤと、充電器５１〜５３のデバイスＩＤそれぞれに対応するコンテンツデータと、を対応付けて記憶している。図６は、デバイスＩＤとコンテンツデータの情報とを対応付けて記憶するテーブルの一例を示すである。本実施形態では、記憶部３は、デバイスＩＤとコンテンツデータの情報とを対応づけて記憶することにより、デバイスＩＤと、デバイスＩＤに対応するコンテンツデータと、を対応付けて記憶している。図６に示すように、テーブルは、「デバイスＩＤ」、「第１コンテンツデータ」、「第２コンテンツデータ」、「第３コンテンツデータ」の各フィールド（各列）を有している。
【００４９】
ここで、第１コンテンツデータは、満充電ではないスマートフォン１に、充電器５１〜５３が接続された場合にコンテンツ再生部２１に音声を含む動画像（アニメーション）を再生させるためのコンテンツデータである。以下、第１コンテンツデータに基づいてコンテンツ再生部２１で再生されるコンテンツを「第１コンテンツ」ともいう。第２コンテンツデータは、満充電のスマートフォン１に、充電器５１〜５３が接続された場合にコンテンツ再生部２１に音声を含む動画像を再生させるためのコンテンツデータである。以下、第２コンテンツデータに基づいてコンテンツ再生部２１で再生されるコンテンツを「第２コンテンツ」ともいう。第３コンテンツデータは、スマートフォン１に接続されている充電器５１〜５３が抜去された場合にコンテンツ再生部２１に音声を含む動画像を再生させるためのコンテンツデータである。以下、第３コンテンツデータに基づいてコンテンツ再生部２１で再生されるコンテンツを「第３コンテンツ」ともいう。第１コンテンツデータ、第２コンテンツデータ、第３コンテンツデータは、例えば、ＭＰＥＧ４形式の音声データを含む動画像データである。なお、「満充電」とは、電源部７の二次電池が完全に充電されている状態をいう。
【００５０】
「デバイスＩＤ」フィールドには、テーブルに含まれる各レコード（各行）に対応するデバイスＩＤが記憶されている。１行目の「デバイスＩＤ」フィールドに記憶されているデバイスＩＤ「Ｂｏｎｅ」は、第１充電器５１のデバイスＩＤである。２行目の「デバイスＩＤ」フィールドに記憶されているデバイスＩＤ「Ｆｉｓｈ」は、第２充電器５２のデバイスＩＤである。３行目の「デバイスＩＤ」フィールドに記憶されているデバイスＩＤ「Ｂａｎａｎａ」は、第３充電器５３のデバイスＩＤである。
【００５１】
「第１コンテンツデータ」フィールドには、デバイスＩＤに対応した第１コンテンツデータの情報が記憶されている。１行目の「第１画像データ」フィールドに記憶されている第１コンテンツデータの情報「Ｄｏｇ１．ｍｐ４」は、第１充電器５１のデバイスＩＤに対応している。２行目の「第１コンテンツデータ」フィールドに記憶されている第１コンテンツデータの情報「Ｃａｔ１．ｍｐ４」は、第２充電器５２のデバイスＩＤに対応している。３行目の「第１コンテンツデータ」フィールドに記憶されている第１コンテンツデータの情報「Ｍｏｎｋｅｙ１．ｍｐ４」は、第３充電器５３のデバイスＩＤに対応している。
【００５２】
「第２コンテンツデータ」フィールドには、デバイスＩＤに対応した第２コンテンツデータの情報が記憶されている。１行目の「第２コンテンツデータ」フィールドに記憶されている第２コンテンツデータの情報「Ｄｏｇ２．ｍｐ４」は、第１充電器５１のデバイスＩＤに対応している。２行目の「第２コンテンツデータ」フィールドに記憶されている第２コンテンツデータの情報「Ｃａｔ２．ｍｐ４」は、第２充電器５２のデバイスＩＤに対応している。３行目の「第２コンテンツデータ」フィールドに記憶されている第２コンテンツデータの情報「Ｍｏｎｋｅｙ２．ｍｐ４」は、第３充電器５３のデバイスＩＤに対応している。
【００５３】
「第３コンテンツデータ」フィールドには、デバイスＩＤに対応した第３コンテンツデータの情報が記憶されている。１行目の「第３コンテンツデータ」フィールドに記憶されている第３コンテンツデータの情報「Ｄｏｇ３．ｍｐ４」は、第１充電器５１のデバイスＩＤに対応している。２行目の「第３コンテンツデータ」フィールドに記憶されている第３コンテンツデータの情報「Ｃａｔ３．ｍｐ４」は、第２充電器５２のデバイスＩＤに対応している。３行目の「第３コンテンツデータ」フィールドに記憶されている第３コンテンツデータの情報「Ｍｏｎｋｅｙ３．ｍｐ４」は、第３充電器５３のデバイスＩＤに対応している。
【００５４】
以上説明したスマートフォン１において、充電器５１〜５３が接続されると、制御部２は、充電器５１〜５３から送られてくる情報に従って、コンテンツ再生プログラム１１を起動する。制御部２は、コンテンツ再生プログラム１１に従って、充電器５１〜５３のデバイスＩＤと、充電器５１〜５３のデバイスＩＤにそれぞれ対応する複数のコンテンツデータと、を対応付けて記憶する記憶部３に記憶されているコンテンツデータに基づいて、コンテンツ再生部２１へのコンテンツの再生を制御する制御手段として機能する。具体的には、制御部２は、テーブル（図６参照）を参照して、充電器５１〜５３から送出されるデバイスＩＤに対応する、記憶部３に記憶されているコンテンツデータに基づいたコンテンツを、コンテンツ再生部２１に再生させる。すなわち、制御部２は、充電器５１〜５３から送出されるデバイスＩＤに対応する、記憶部３に記憶されているコンテンツデータに基づいた動画像を表示部４に表示させる。同時に、制御部２は、充電器５１〜５３から送出されるデバイスＩＤに対応する、記憶部３に記憶されているコンテンツデータに基づいた音声をスピーカー１２に再生させる。なお、制御部２は、充電器５１〜５３から送られてくるデバイスＩＤを記憶部３に一時的に記憶し、テーブルの参照に利用する。
【００５５】
第１充電器５１がスマートフォン１に接続されると、第１充電器５１からデバイスＩＤ「Ｂｏｎｅ」が送出される。制御部２は、デバイスＩＤが「Ｂｏｎｅ」であり、且つ、スマートフォン１が満充電でない場合は、第１充電器５１から送出されるデバイスＩＤ「Ｂｏｎｅ」に対応する第１コンテンツデータ「Ｄｏｇ１．ｍｐ４」に基づいた第１コンテンツを、コンテンツ再生部２１に再生させる。第１コンテンツデータは、第１充電器５１のデザイン「骨」に応じた第１コンテンツ（骨を含む動画像）を再生するためのデータである。具体的には、第１コンテンツデータは、「骨」と「犬」を含む動画像を表示部４に表示し、「犬」の鳴き声を含む音声をスピーカー１２で再生するためのデータである。
【００５６】
図７は、第１充電器５１がスマートフォン１に接続された場合に表示部４に表示される動画像の一例を示す図である。この動画像は、第１充電器５１が模している食べ物「骨」と、食べ物「骨」を食べるキャラクター「犬」と、を含む。制御部２は、スマートフォン１の充電状況に応じて、第１コンテンツデータに基づいた動画像を変化させて表示部４に表示する。すなわち、制御部２は、スマートフォン１の充電状況に応じて、食べ物「骨」と、キャラクター「犬」と、を変化させる。具体的には、制御部２は、スマートフォン１の充電状況に応じて、犬Ｄに食べられている骨ＢＯの量を変化させて表示部４に表示する。例えば、スマートフォン１の充電状況が５０％であれば、犬Ｄに食べられている骨ＢＯの量を５０％に変化させて表示部４に表示する。図７では、犬Ｄにより骨ＢＯが２０％食べられているため、骨ＢＯが８０％残っており、スマートフォン１の充電状況が８０％であることが示されている。また、文字「８０％」によってもスマートフォン１の充電状況が示されている。また、制御部２は、動画像を表示している間は、第１充電器５１によりスマートフォン１が充電されているため、犬Ｄに食べられている骨ＢＯの量を変化させながら、表示部４に動画像を表示する。同時に、制御部２は、第１コンテンツデータに基づいて、「犬」の鳴き声を含む音声をスピーカー１２に再生させる。
【００５７】
また、制御部２は、デバイスＩＤが「Ｂｏｎｅ」であり、且つ、スマートフォン１が満充電である場合は、第１充電器５１から送出されるデバイスＩＤ「Ｂｏｎｅ」に対応する第２コンテンツデータ「Ｄｏｇ２．ｍｐ４」に基づいた第２コンテンツを、コンテンツ再生部２１に再生させる。第２コンテンツデータは、第１充電器５１のデザイン「骨」に応じた第２コンテンツ（骨を含む動画像）を再生するためのデータである。したがって、第２コンテンツも、第１充電器５１が模している食べ物「骨」と、食べ物「骨」を食べるキャラクター「犬」と、を含む動画像であるが、満充電時に表示される動画像であるため、表示部４には、１本の骨と犬とが表示される。
【００５８】
ここで、接続されている第１充電器５１が抜去された場合、制御部２は、第１充電器５１のデバイスＩＤ「Ｂｏｎｅ」に対応する第３コンテンツデータ「Ｄｏｇ３．ｍｐ４」に基づいた第３コンテンツを、コンテンツ再生部２１に再生させる。第３コンテンツデータは、第１充電器５１のデザイン「骨」に応じた第３コンテンツ（骨を含む動画像）を再生するためのデータである。したがって、第３コンテンツも、第１充電器５１が模している食べ物「骨」と、食べ物「骨」を食べるキャラクター「犬」と、を含む動画像であるが、第３画像においては、これらに加え、「Ｇｏｏｄ  Ｂｙｅ」の文字が表示される。なお、第１充電器５１が接続されている間、記憶部３に第１充電器５１のデバイスＩＤが一時的に記憶されている。
【００５９】
第２充電器５２がスマートフォン１に接続されると、第２充電器５２からデバイスＩＤ「Ｆｉｓｈ」が送出される。制御部２は、デバイスＩＤが「Ｆｉｓｈ」であり、且つ、スマートフォン１が満充電でない場合は、第２充電器５２から送出されるデバイスＩＤ「Ｆｉｓｈ」に対応する第１コンテンツデータ「Ｃａｔ１．ｍｐ４」に基づいた第１コンテンツを、コンテンツ再生部２１に再生させる。第１コンテンツデータは、第２充電器５２のデザイン「魚」に応じた第１コンテンツ（魚を含む動画像）を再生するためのデータである。具体的には、第１コンテンツデータは、「魚」と「猫」を含む動画像を表示部４に表示し、「猫」の鳴き声を含む音声をスピーカー１２で再生するためのデータである。
【００６０】
図８は、第２充電器５２がスマートフォン１に接続された場合に表示部４に表示される動画像の一例を示す図である。この動画像は、第２充電器５２が模している食べ物「魚」と、食べ物「魚」を食べるキャラクター「猫」と、を含む動画像である。制御部２は、スマートフォン１の充電状況に応じて、第１コンテンツデータに基づいた動画像を変化させて表示部４に表示する。すなわち、制御部２は、スマートフォン１の充電状況に応じて、食べ物「魚」と、キャラクター「猫」と、を変化させる。具体的には、制御部２は、スマートフォン１の充電状況に応じて、猫Ｃに食べられている魚Ｆの量を変化させて表示部４に表示する。例えば、スマートフォン１の充電状況が５０％であれば、猫Ｃに食べられている魚Ｆの量を５０％に変化させて表示部４に表示する。図８では、猫Ｃにより魚Ｆが２０％食べられているため、魚Ｆが８０％残っており、スマートフォン１の充電状況が８０％であることが示されている。また、文字「８０％」によってもスマートフォン１の充電状況が示されている。また、制御部２は、動画像を表示している間は、第２充電器５２によりスマートフォン１が充電されているため、猫Ｃに食べられている魚Ｆの量を変化させながら、表示部４に動画像を表示する。同時に、制御部２は、第１コンテンツデータに基づいて、「猫」の鳴き声を含む音声をスピーカー１２に再生させる。
【００６１】
また、制御部２は、デバイスＩＤが「Ｆｉｓｈ」であり、且つ、スマートフォン１が満充電である場合は、第２充電器５２から送出されるデバイスＩＤ「Ｆｉｓｈ」に対応する第２コンテンツデータ「Ｃａｔ２．ｍｐ４」に基づいた第２コンテンツを、コンテンツ再生部２１に再生させる。第２コンテンツデータは、第２充電器５２のデザイン「魚」に応じた第２コンテンツ（魚を含む動画像）を再生するためのデータである。したがって、第２コンテンツも、第２充電器５２が模している食べ物「魚」と、食べ物「魚」を食べるキャラクター「猫」と、を含む動画像であるが、満充電時に表示される動画像であるため、表示部４には、１匹の魚と猫とが表示される。
【００６２】
ここで、接続されている第２充電器５２が抜去された場合、制御部２は、第２充電器５２のデバイスＩＤ「Ｆｉｓｈ」に対応する第３コンテンツデータ「Ｃａｔ３．ｍｐ４」に基づいた第３コンテンツを、コンテンツ再生部２１に再生させる。第３コンテンツデータは、第２充電器５２のデザイン「魚」に応じた第３コンテンツ（魚を含む動画像）を再生するためのデータである。したがって、第３コンテンツも、第２充電器５２が模している食べ物「魚」と、食べ物「魚」を食べるキャラクター「猫」と、を含む動画像であるが、第３コンテンツにおいては、これらに加え、「Ｇｏｏｄ  Ｂｙｅ」の文字が表示される。なお、第２充電器５２が接続されている間、記憶部３に第２充電器５２のデバイスＩＤが一時的に記憶されている。
【００６３】
第３充電器５３がスマートフォン１に接続されると、第３充電器５３からデバイスＩＤ「Ｂａｎａｎａ」が送出される。制御部２は、デバイスＩＤが「Ｂａｎａｎａ」であり、且つ、スマートフォン１が満充電でない場合は、第３充電器５３から送出されるデバイスＩＤ「Ｂａｎａｎａ」に対応する第１コンテンツデータ「Ｍｏｎｋｅｙ１．ｍｐ４」に基づいた第１コンテンツを、コンテンツ再生部２１に再生させる。第１コンテンツデータは、第３充電器５３のデザイン「バナナ」に応じた第１コンテンツ（バナナを含む動画像）を再生するためのデータである。具体的には、第１コンテンツデータは、「バナナ」と「猿」を含む動画像を表示部４に表示し、「猿」の鳴き声を含む音声をスピーカー１２で再生するためのデータである。
【００６４】
図９は、第３充電器５３がスマートフォン１に接続された場合に表示部４に表示される動画像の一例を示す図である。この動画像は、第３充電器５３が模している食べ物「バナナ」と、食べ物「バナナ」を食べるキャラクター「猿」と、を含む動画像である。制御部２は、スマートフォン１の充電状況に応じて、第１コンテンツデータに基づいた動画像を変化させて表示部４に表示する。すなわち、制御部２は、スマートフォン１の充電状況に応じて、食べ物「バナナ」と、キャラクター「猿」と、を変化させる。具体的には、制御部２は、スマートフォン１の充電状況に応じて、猿Ｍに食べられているバナナＢＡの量を変化させて表示部４に表示する。例えば、スマートフォン１の充電状況が５０％であれば、猿Ｍに食べられているバナナＢＡの量を５０％に変化させて表示部４に表示する。図９では、猿ＭによりバナナＢＡが２０％食べられているため、バナナＢＡが８０％残っており、スマートフォン１の充電状況が８０％であることが示されている。また、文字「８０％」によってもスマートフォン１の充電状況が示されている。また、制御部２は、動画像を表示している間は、第３充電器５３によりスマートフォン１が充電されているため、猿Ｍに食べられているバナナＢＡの量を変化させながら、表示部４に動画像を表示する。同時に、制御部２は、第１コンテンツデータに基づいて、「猫」の鳴き声を含む音声をスピーカー１２に再生させる。
【００６５】
また、制御部２は、デバイスＩＤが「Ｂａｎａｎａ」であり、且つ、スマートフォン１が満充電である場合は、第３充電器５３から送出されるデバイスＩＤ「Ｂａｎａｎａ」に対応する第２コンテンツデータ「Ｍｏｎｋｅｙ２．ｍｐ４」に基づいた第２コンテンツを、コンテンツ再生部２１に再生させる。第２コンテンツデータは、第３充電器５３のデザイン「バナナ」に応じた第２コンテンツ（バナナを含む動画像）を再生するためのデータである。したがって、第２コンテンツも、第３充電器５３が模している食べ物「バナナ」と、食べ物「バナナ」を食べるキャラクター「猿」と、を含む動画像であるが、満充電時に表示される動画像であるため、表示部４には、１本のバナナと猿とが表示される。
【００６６】
ここで、接続されている第３充電器５３が抜去された場合、制御部２は、第３充電器５３のデバイスＩＤ「Ｂａｎａｎａ」に対応する第３コンテンツデータ「Ｍｏｎｋｅｙ３．ｍｐ４」に基づいた第３コンテンツを、コンテンツ再生部２１に再生させる。第３画像データは、第３充電器５３のデザイン「バナナ」に応じた第３コンテンツ（バナナを含む動画像）を再生するためのデータである。したがって、第３コンテンツも、第３充電器５３が模している食べ物「バナナ」と、食べ物「バナナ」を食べるキャラクター「猿」と、を含む動画像であるが、第３コンテンツにおいては、これらに加え、「Ｇｏｏｄ  Ｂｙｅ」の文字が表示される。なお、第３充電器５３が接続されている間、記憶部３に第３充電器５３のデバイスＩＤが一時的に記憶されている。
【００６７】
次に、充電器５１〜５３が接続された場合のスマートフォン１の動作について、図１０に示すフローチャートに基づいて説明する。なお、制御部２は、コンテンツ再生プログラム１１が実行されていない（起動されていない）間は、ＯＳプログラムに従って動作する。制御部２は、充電器５１〜５３が接続されたか否かを入出力Ｉ／Ｆ８からの情報に基づいて判断する（Ｓ１）。制御部２は、充電器５１〜５３が接続されていないと判断している間（Ｓ１：Ｎｏ）、表示部４にホーム画面を表示している（Ｓ２）。図１１は、表示部４に表示されるホーム画面の一例を示す図である。図１１に示すように、ホーム画面には、メーラー、ウェブブラウザ、カメラなどの各種のアプリケーションプログラムを起動するためのアイコンが含まれている。
【００６８】
制御部２は、充電器５１〜５３が接続されたと判断した場合（Ｓ１：Ｙｅｓ）、充電器５１〜５３から送られてくる情報に従って、コンテンツ再生プログラム１１を起動する（Ｓ３）。次に、制御部２は、充電器５１〜５３に応じたコンテンツを再生（アニメーションを再生）させるか否かの指示を受け付けるための初期メッセージを表示するか否かを判断する（Ｓ４）。初期メッセージを表示するか否かの情報は、記憶部３に記憶されており、ユーザーは、後述する初期設定画面において、初期メッセージを表示するか否かを設定可能である。制御部２は、初期メッセージを表示すると判断した場合（Ｓ４：Ｙｅｓ）、表示部４に初期メッセージを表示する（Ｓ５）。図１２は、表示部４に表示される初期メッセージの一例を示す図である。図９に示すように、表示部４には、「アニメーションを再生しますか？」というメッセージとともに、充電器５１〜５３に応じたコンテンツを表示させるか否かの指示を受け付けるためのボタン（Ｙｅｓボタン、Ｎｏボタン）が表示される。ユーザーは、「Ｙｅｓボタン」をタッチすることにより、コンテンツを再生させる旨を指示することが可能である。制御部２は、「Ｙｅｓボタン」がタッチされた場合に、コンテンツを再生させる旨の指示を受け付ける。また、ユーザーは、「Ｎｏボタン」をタッチすることにより、コンテンツを再生させない旨を指示することが可能である。制御部２は、「Ｎｏボタン」がタッチされた場合に、コンテンツを再生させない旨の指示を受け付ける。このように、制御部２は、充電器５１〜５３が接続された場合に、コンテンツ再生部２１にコンテンツを再生させない旨の指示を受け付ける受付手段として機能する。
【００６９】
次に、制御部２は、充電器５１〜５３に応じたコンテンツを再生させる旨、又は、再生させない旨の指示を受け付けたか否かを判断する（Ｓ６）。制御部２は、充電器５１〜５３に応じたコンテンツを再生させない旨の指示を受け付けたと判断した場合（Ｓ６：Ｎｏ）、コンテンツ再生プログラム１１を終了し（Ｓ７）、表示部４にホーム画面を表示する（Ｓ８）。
【００７０】
制御部２は、初期メッセージを表示しないと判断した場合（Ｓ４：Ｎｏ）、及び、充電器５１〜５３に応じたコンテンツを再生させる旨の指示を受け付けたと判断した場合（Ｓ６：Ｙｅｓ）、電源部７の検出結果に基づいて、電源部７の二次電池（スマートフォン１）が満充電であるか否かを判断する（Ｓ９）。制御部２は、電源部７の二次電池（スマートフォン１）が満充電でないと判断した場合（Ｓ９：Ｎｏ）、充電器５１〜５３から送出されるデバイスＩＤに対応する第１コンテンツデータに基づいた第１コンテンツをコンテンツ再生部２１に再生させる（Ｓ１０、図７〜９参照）。このとき、制御部２は、バイブレーター１３を振動させる。次に、制御部２は、初期設定画面を表示する旨の指示を受け付けたか否かを判断する（Ｓ１１）。初期設定画面は、上述のように、初期メッセージを表示するか否かの指示を受け付けるための画面である。制御部２は、第１コンテンツを再生している間に、表示部４がタッチされた場合に、初期設定画面を表示する旨の指示を受け付けたと判断する（Ｓ１２）。また、制御部２は、初期設定画面により初期メッセージを表示する旨の指示、又は、初期メッセージを表示しない旨の指示を受け付けた場合は、その情報を記憶部３に記憶する。
【００７１】
制御部２は、初期設定画面を表示する旨の指示を受け付けていないと判断している間（Ｓ１１：Ｎｏ）、また、初期設定画面を表示した後（Ｓ１２）、所定長さの第１コンテンツが終了していないと判断している間（Ｓ１３：Ｎｏ）、コンテンツ再生部２１に第１コンテンツを再生させ続ける（Ｓ１０）。制御部２は、第１コンテンツが終了したと判断した場合（Ｓ１３：Ｙｅｓ）、コンテンツ再生プログラム１１を終了し（Ｓ７）、表示部４にホーム画面を表示する（Ｓ８）。
【００７２】
制御部２は、電源部７の二次電池（スマートフォン１）が満充電であると判断した場合（Ｓ９：Ｙｅｓ）、充電器５１〜５３から送出されるデバイスＩＤに対応する第２コンテンツデータに基づいた第２コンテンツをコンテンツ再生部２１に再生させる（Ｓ１４）。このとき、制御部２は、バイブレーター１３を振動させる。制御部２は、所定長さの第２コンテンツが終了していないと判断している間（Ｓ１５：Ｎｏ）、コンテンツ再生部２１に第２コンテンツを再生させ続ける（Ｓ１４）。制御部２は、第２コンテンツが終了したと判断した場合（Ｓ１５：Ｙｅｓ）、コンテンツ再生プログラム１１を終了し（Ｓ７）、表示部４にホーム画面を表示する（Ｓ８）。なお、第２コンテンツは、満充電時に再生されるコンテンツである。満充電であれば、ユーザーがスマートフォン１から充電器５１〜５３を抜去する可能性が高く、充電状況を変化して表示する必要がないため、第２コンテンツは、第１コンテンツよりも長さ（再生時間）が短い。
【００７３】
次に、充電器５１〜５３が抜去された場合のスマートフォン１の動作について、図１３に示すフローチャートに基づいて説明する。制御部２は、充電器５１〜５３が抜去されたか否かを入出力Ｉ／Ｆ８からの情報に基づいて判断する（Ｓ２１）。制御部２は、充電器５１〜５３が抜去されていないと判断している間（Ｓ２１：Ｎｏ）、表示部４にホーム画面を表示している（Ｓ２２）。
【００７４】
制御部２は、充電器５１〜５３が抜去されたと判断した場合（Ｓ２１：Ｙｅｓ）、コンテンツ再生プログラム１１を起動する（Ｓ２３）。制御部２は、充電器５１〜５３のデバイスＩＤに対応する第３コンテンツデータに基づいた第３コンテンツをコンテンツ再生部２１に再生させる（Ｓ２４）。このとき、制御部２は、バイブレーター１３を振動させる。制御部２は、所定長さの第３コンテンツが終了していないと判断している間（Ｓ２５：Ｎｏ）、コンテンツ再生部２１に第３コンテンツを再生させ続ける（Ｓ２４）。制御部２は、第３コンテンツが終了したと判断した場合（Ｓ２５：Ｙｅｓ）、コンテンツ再生プログラム１１を終了し（Ｓ２６）、表示部４にホーム画面を表示する（Ｓ２７）。
【００７５】
以上説明したように、制御部２は、充電器５１〜５３から送出されるデバイスＩＤに対応する、記憶部３に記憶されているコンテンツデータに基づいたコンテンツを、コンテンツ再生部２１に再生させる。すなわち、制御部２は、充電器５１〜５３に応じたコンテンツをコンテンツ再生部２１に再生させる。これにより、充電器５１〜５３に応じたコンテンツをユーザーに提供することが可能である。
【００７６】
また、制御部２は、充電器５１〜５３がスマートフォン１に接続された場合に、充電器５１〜５３から送出されるデバイスＩＤに対応する、コンテンツデータに基づいたコンテンツをコンテンツ再生部２１に再生させる。これにより、充電器５１〜５３がスマートフォン１に接続された場合に、充電器５１〜５３に応じたコンテンツをユーザーに提供することが可能である。
【００７７】
また、制御部２は、充電器５１〜５３から送出されるデバイスＩＤに対応する、コンテンツデータに基づいたコンテンツを表示させない旨の指示を受け付けた場合に（Ｓ６：Ｎｏ）、充電器５１〜５３から送出されるデバイスＩＤに対応する、コンテンツデータに基づいたコンテンツをコンテンツ再生部２１に再生させない。これにより、ユーザーは、充電器５１〜５３から送出されるデバイスＩＤに対応する、コンテンツデータに基づいたコンテンツをコンテンツ再生部２１に再生させたくない場合は、その旨、指示することができる。
【００７８】
また、制御部２は、スマートフォン１に接続されている充電器５１〜５３が抜去された場合に、充電器５１〜５３のデバイスＩＤに対応するコンテンツデータに基づいたコンテンツをコンテンツ再生部２１に再生させる。これにより、充電器５１〜５３がスマートフォン１から抜去された場合に、充電器５１〜５３に応じたコンテンツをユーザーに提供することが可能である。
【００７９】
また、充電器５１〜５３のデバイスＩＤに対応するコンテンツデータは、充電器５１〜５３のデザインに応じたコンテンツを再生するためのデータである。具体的には、第１充電器５１のデバイスＩＤに対応するコンテンツデータは、第１充電器５１のデザイン「骨」を含む動画像を再生するためのデータである。第２充電器５２のデバイスＩＤに対応するコンテンツデータは、第２充電器５２のデザイン「魚」を含む動画像を再生するためのデータである。第３充電器５３のデバイスＩＤに対応するコンテンツデータは、第３充電器５３のデザイン「バナナ」を含む動画像を再生するためのデータである。これにより、充電器５１〜５３のデザイン（骨、魚、バナナ）に応じた動画像（骨を含む動画像、魚を含む画像、バナナを含む画像）等のコンテンツをコンテンツ再生部２１に再生させることができるため、充電器５１〜５３のデザインに応じて、より面白味のあるコンテンツをユーザーに提供する行うことが可能である。
【００８０】
また、制御部２は、充電器５１〜５３のデバイスＩＤに対応するコンテンツデータに基づいたコンテンツをコンテンツ再生部２１に再生させると同時に、バイブレーター１３を振動させる（Ｓ１０、Ｓ１４、Ｓ２４）。例えば、コンテンツの態様に合わせてバイブレーター１３を振動させることにより、ユーザーにより面白味のあるコンテンツを提供することができる。
【００８１】
また、第１充電器５１は、食べ物「骨」を模したデザインである。第１充電器５１のデザインに応じたコンテンツは、食べ物「骨」と、食べ物「骨」を食べるキャラクター「犬」と、を含む動画像である。第２充電器５２は、食べ物「魚」を模したデザインである。第２充電器５２のデザインに応じたコンテンツは、食べ物「魚」と、食べ物「魚」を食べるキャラクター「猫」と、を含む動画像である。第３充電器５３は、食べ物「バナナ」を模したデザインである。第３充電器５３のデザインに応じた画像は、食べ物「バナナ」と、食べ物「バナナ」を食べるキャラクター「猿」と、を含む動画像である。このため、充電器５１〜５３のデザインに応じてより面白味のあるコンテンツをユーザーに提供することが可能である。
【００８２】
また、制御部２は、スマートフォン１の充電状況に応じて、充電器５１〜５３のデバイスＩＤに対応するコンテンツデータに基づいたコンテンツ（動画像）を変化させてコンテンツ再生部２１（表示部４）に再生（表示）させる。具体的には、制御部２は、スマートフォン１の充電状況に応じて、食べ物（骨、魚、バナナ）と、キャラクター（犬、猫、猿）と、を変化させる。従って、より面白味のあるコンテンツ（動画像）をユーザーに提供することが可能である。また、ユーザーは、コンテンツ（動画像）に基づいて充電状況を確認することができる。
【００８３】
本実施形態では、スマートフォン１が本発明の「携帯端末装置」に相当する。コンテンツ再生部２１が本発明の「コンテンツ再生装置」に相当する。記憶部３が本発明の「記憶装置」に相当する。充電器５１〜５３が本発明の「同一種の複数の周辺機器」に相当する。デバイスＩＤが本発明の「識別情報」に相当する。
【００８４】
以上、本発明の実施形態について説明したが、本発明を適用可能な形態は、上述の実施形態には限られるものではなく、以下に例示するように、本発明の趣旨を逸脱しない範囲で適宜変更を加えることが可能である。
【００８５】
上述の実施形態では、充電器５１〜５３は、デザインが異なっている。これに限らず、例えば、複数の充電器の二次電池の容量（充電性能）がそれぞれ異なっていてもよい。この場合、充電器のデバイスＩＤに対応するコンテンツデータは、充電器の電池の容量に応じたコンテンツを再生するためのデータであればよい。例えば、充電器の電池の容量に応じたコンテンツとして、容量が大きければ、大きいキャラクター「クマ」を含む動画像、容量が小さければ、小さいキャラクター「ウサギ」を含む動画像をコンテンツ再生部２１（表示部４）に再生（表示）させるようにすればよい。また、容量が大きければ、大きいキャラクター「クマ」の鳴き声を含む音声、容量が小さければ、小さいキャラクター「ウサギ」の鳴き声を含む音声をコンテンツ再生部２１（スピーカー１２）に再生させるようにすればよい。ユーザーは、再生されるコンテンツにより、充電器の充電性能を把握することが可能である。
【００８６】
上述の実施形態では、コンテンツとして、音声（「犬」、「猫」、「猿」の鳴き声を含む音声）を含む動画像（「骨」と「犬」を含む動画像、「魚」と「猫」を含む動画像、「バナナ」と「猿」を含む動画像）を例示した。また、コンテンツデータは、音声データを含む動画像データである。これに限らず、コンテンツとして、音声、コンテンツデータは、音声を再生するための音声データ（ＭＰ３形式、ＷＡＶＥ形式等のデータ）であってもよい。また、コンテンツとして、静止画像、コンテンツデータは、静止画像を表示するための静止画像データ（ＪＰＥＧ形式、ＧＩＦ形式等のデータ）であってもよい。また、コンテンツとして、音声を含まない動画像、コンテンツデータは、音声データを含まない動画像データであってもよい。また、静止画像は、文字のみから構成されていてもよい。また、音声データに基づいた音声と静止画像データに基づいた静止画、音声データに基づいた音声と動画像データに基づいた動画像、を同時に再生するようにしてもよい。言い換えれば、２つの別々のデータ（ファイル）に基づいた音声と静止画、２つの別々のデータ（ファイル）に基づいた音声と動画像を同時に再生するようにしてもよい。
【００８７】
上述の実施形態では、コンテンツ再生部２１は、画像を表示する表示部４と、音声を再生するスピーカー１２と、を備えている。これに限らず、コンテンツとして音声のみを再生する場合は、コンテンツ再生部２１は、スピーカー１２のみを備えていてもよい。また、コンテンツとして、静止画像、動画像を表示する場合は、コンテンツ再生部２１は、表示部４のみを備えていてもよい。
【００８８】
上述の実施形態では、同一種の複数の周辺機器として、充電器５１〜５３を例に挙げた。これに限らず、例えば、スマートフォン１の音声データをＦＭ波に変調するという同じ機能を有するＦＭトランスミッターであって、変調する周波数が異なる複数のＦＭトランスミッターであってもよい。この場合、ＦＭトランスミッターに応じたコンテンツとして、ＦＭトランスミッターの周波数を再生するようにしてもよい。具体的には、ＦＭトランスミッターの周波数を画像として表示部４に表示したり、音声としてスピーカー１２で再生したりすればよい。また、例えば、スマートフォン１の音声を拡大するという同じ機能を有するスピーカーであって、デザインが異なる複数のスピーカーであってもよい。この場合、スピーカーに応じたコンテンツとして、スピーカーのデザインに応じたデザインのイコライザーを表示部４に表示するようにしてもよい。
【００８９】
上述の実施形態では、スマートフォン１と充電器５１〜５３とは、コネクタ１０と、コネクタ５６、５９、６２と、を介して、有線で接続され、デバイスＩＤが充電器５１〜５３に送出される。これに限らず、例えば、スマートフォン１と無線通信可能な周辺機器である場合、無線通信により周辺機器とスマートフォン１が接続され、周辺機器からスマートフォン１にデバイスＩＤが送出されるようになっていてもよい。
【００９０】
上述の実施形態では、充電器５１〜５３のデバイスＩＤに対応するコンテンツデータは、充電器５１〜５３のデザインに応じたコンテンツを再生するためのデータあり、コンテンツ再生部２１により、充電器５１〜５３のデザインに応じたコンテンツが再生される。これに限らず、例えば、上述のように、周辺機器がＦＭトランスミッターである場合、ＦＭトランスミッターの変調周波数に応じたコンテンツ（変調周波数）を再生（画像を表示、音声を再生）するようにしてもよい。
【００９１】
上述の実施形態では、充電器５１〜５３に応じたコンテンツは、第１充電器５１のデザイン「骨」に応じた「骨」を含む「骨」と「犬」の動画像及び「犬」の鳴き声を含む音声、第２充電器５２のデザイン「魚」に応じた「魚」を含む「魚」と「猫」の動画像及び「猫」の鳴き声を含む音声、第３充電器５３のデザイン「バナナ」に応じた「バナナ」を含む「バナナ」と「猿」の動画像及び「猿」の鳴き声を含む音声である。これに限らず、充電器５１〜５３に応じたコンテンツは、第１充電器５１のデザイン「骨」に応じた「骨」の動画像、第２充電器５２のデザイン「魚」に応じた「魚」の動画像、第３充電器５３のデザイン「バナナ」に応じた「バナナ」の動画像であってもよい。
【００９２】
上述の実施形態では、充電器５１〜５３の食べ物を模したデザインとして、「骨」、「魚」、「バナナ」を例示した。これに限らず、例えば、「ニンジン」、「チーズ」等であってもよい。また、食べ物を食べるキャラクターとして、「骨」を食べる「犬」、「魚」を食べる「猫」、「バナナ」を食べる「猿」を例示した。これに限らず、例えば、「ニンジン」を食べる「ウサギ」、「チーズ」を食べる「ネズミ」等であってもよい。
【００９３】
上述の実施形態では、充電器５１〜５３は、食べ物（骨、魚、バナナ）を模したデザインであった。これに限らず、例えば、キャラクター（犬、猫、猿等の動物）やキャラクターの身体の一部（お尻、しっぽ等）を模したデザインであってもよい。この場合、例えば、コンテンツとして、キャラクターの顔を含む動画像及びキャラクターの鳴き声を含む音声を再生するようにしてもよい。また、キャラクターの顔を含む動画像であれば、充電器５１〜５３の充電状況に応じて、キャラクターの顔の表情等を変化させるようにしてもよい。また、コンテンツとして、キャラクターの顔を含む動画像、キャラクターの鳴き声を含む音声のいずれか一方を再生するようにしてもよい。
【００９４】
上述の実施形態では、充電器５１〜５３として、二次電池を内蔵している充電器を例示した。これに限らず、例えば、家庭用コンセントから供給される電力を所定の電圧に変換してスマートフォン１に供給するタイプの充電器（ＡＣアダプタ）であってもよい。また、例えば、充電されない一次電池を内蔵している充電器であってもよい。
【００９５】
上述の実施形態では、制御部２は、スマートフォン１が満充電である場合、第２コンテンツデータに基づいた第２コンテンツをコンテンツ再生部２１に再生させる。これに限らず、制御部２は、スマートフォン１が満充電である場合も、第１コンテンツデータに基づいた第１コンテンツをコンテンツ再生部２１に再生させ、第１コンテンツを満充電であるように変化させてもよい。
【００９６】
上述の実施形態では、スマートフォン１は、充電器５１〜５３のデバイスＩＤと、充電器５１〜５３のデバイスＩＤそれぞれに対応するコンテンツデータと、を対応付けて記憶する記憶部３を備えている。これに限らず、スマートフォン１と通信可能な外部の記憶装置が、充電器５１〜５３のデバイスＩＤと、充電器５１〜５３のデバイスＩＤそれぞれに対応するコンテンツデータと、を対応付けて記憶していてもよい。外部の記憶装置としては、入出力Ｉ／Ｆ８を介して通信可能なハードディスクドライブ装置、入出力Ｉ／Ｆ８及び図示しないカードリーダライタを介して通信可能なメモリーカード、通信部６を介して通信可能なサーバ等であってもよい。また、スマートフォン１がBluetooth（登録商標）等の近距離無線通信機能を有する場合は、近距離無線通信可能な外部の記憶装置であってもよい。この場合、制御部２は、外部の記憶装置と通信を行って、充電器５１〜５３から送出されるデバイスＩＤに対応する、外部の記憶装置に記憶されているコンテンツデータに基づいたコンテンツを、コンテンツ再生部２１に再生させるようにすればよい。
【００９７】
上述の実施形態では、第１〜第３コンテンツを再生するためのコンテンツデータとして、ＭＰＥＧ４形式を例示した。これに限らず、ＭＰＥＧ４形式以外の、例えば、ＡＶＩ、ＭＯＶ形式などでもよい。
【００９８】
上述の実施形態において説明したスマートフォンとして、アップルインコーポレイテッド製のiOS、グーグルインコーポレイテッド製のAndroid（登録商標）、マイクロソフトコーポレイション製のWindows（登録商標）等のオペレーティングシステムが搭載されたスマートフォンを採用可能である。
【００９９】
上述の実施形態では、コンテンツ再生プログラム１１がインストールされている携帯端末装置として、スマートフォン１を例に挙げた。これに限らず、タブレットＰＣ、フィーチャーフォン、携帯メディアプレーヤー、携帯ゲーム機等であってもよい。
【符号の説明】
【０１００】
１  スマートフォン（携帯端末装置）
２  制御部
３  記憶部（記憶装置）
４  表示部
７  電源部
８  入出力Ｉ／Ｆ
１０  コネクタ
１１  コンテンツ再生プログラム
１２  スピーカー
１３  バイブレーター（振動装置）
２１  コンテンツ再生部（コンテンツ再生装置）
５１  第１充電器（周辺機器）
５２  第２充電器（周辺機器）
５３  第３充電器（周辺機器）
【図１】
2014164438.tif 000003
【図２】
2014164438.tif 000004
【図３】
2014164438.tif 000005
【図４】
2014164438.tif 000006
【図５】
2014164438.tif 000007
【図６】
2014164438.tif 000008
【図７】
2014164438.tif 000009
【図８】
2014164438.tif 000010
【図９】
2014164438.tif 000011
【図１０】
2014164438.tif 000012
【図１１】
2014164438.tif 000013
【図１２】
2014164438.tif 000014
【図１３】
2014164438.tif 000015